(57)【要約】【課題】  ユーザーがクライアント装置側においてコンテンツを視聴する際に、カテゴリー区分できない特徴に基づくコンテンツの選択を行うことができるクライアント装置を提供する。【解決手段】  ネットワーク上のサーバ装置に対し特徴点検出指示を行う手段と、サーバ装置からの特徴点検出通知を受信する手段と、前記通知受信時にユーザーへこの受信を通知する手段と前記通知を行ったサーバ装置に対し前記特徴点からのコンテンツ再生指示を行いこの再生信号に前の再生信号から切り替えて再生表示を行う手段とを具備することを特徴とするクライアント装置。【選択図】      図１
2007096981.tif 000002
【特許請求の範囲】
【請求項１】
ネットワーク上のサーバ装置に対し特徴点検出指示を行う手段と、サーバ装置からの特徴点検出通知を受信する手段と、前記通知受信時にユーザーへこの受信を通知する手段と前記通知を行ったサーバ装置に対し前記特徴点からのコンテンツ再生指示を行いこの再生信号に前の再生信号から切り替えて再生表示を行う手段とを具備することを特徴とするクライアント装置と、
記録済コンテンツ再生時に特徴点の検出を行う手段と、検出された特徴点の一定時間前の点を特徴点としてネットワーク上のクライアント装置に通知する手段とを具備することを特徴とするサーバ装置とから
構成されることを特徴とするコンテンツ視聴システム。
【請求項２】
ネットワーク上のサーバ装置に対し特徴点検出指示を行う手段と、
サーバ装置からの特徴点検出通知を受信する手段と、
前記通知受信時にユーザーへこの受信を通知する手段と前記通知を行ったサーバ装置に対し前記特徴点からのコンテンツ再生指示を行いこの再生信号に前の再生信号から切り替えて再生表示を行う手段とを
具備することを特徴とするクライアント装置。
【請求項３】
記録済コンテンツ再生時に特徴点の検出を行う手段と、
検出された特徴点の一定時間前の点を特徴点としてネットワーク上のクライアント装置に通知する手段とを
具備することを特徴とするサーバ装置。
【請求項４】
テレビ放送などのライブコンテンツを常に録画しておき一定時間前からのライブコンテンツを保存し記録済コンテンツ再生時と同様の特徴点検出を行う手段を更に
具備することを特徴とする請求項３記載のサーバ装置。
【請求項５】
音声の音量が一定レベルを超えた点を特徴点として検出することを特徴とする請求項３記載のサーバ装置。
【発明の詳細な説明】
【技術分野】
【０００１】
この発明は、サーバ装置からクライアント装置がコンテンツを取得して視聴のための出力を行うコンテンツ視聴システムに関する。
【背景技術】
【０００２】
近年ではサーバ装置に蓄積された情報をクライアント装置が取得して利用する情報の利用システムが、システム形態として採られることが多い。
情報を利用する例としてクライアント装置のユーザーが視聴するコンテンツがある。このときコンテンツを複数視聴することもある。その場合全コンテンツを並行して視聴することは困難であり、コンテンツ選択が必要となる。
【０００３】
従来、コンテンツを選択して受信取得し実行する技術が知られている（例えば、特許文献１参照）。しかしこの技術は、ユーザーの操作により嗜好場面に関するキーワード、コード、分類情報を予め登録することを特徴としていた。即ち送信側で予め特徴点の言わばインデックス情報を付加することにより、受信側でその付加されたインデックス情報を用いて選択できるようにしたことを特徴としており、選択の基準は人間がカテゴリー区分できる対象に限定されるという融通の無い、送信側におけるコンテンツ管理を行っていた。即ちカテゴリー区分できない特徴に基づく選択はできなかった。例えば、明言できない音の変化を特徴とする選択ができる技術ではないという問題があった。
【０００４】
このためユーザーの利用価値のある場面情報を自動的に得られないという不自由さがあった。
【特許文献１】特開２００２−３３０４１１号公報
【発明の開示】
【発明が解決しようとする課題】
【０００５】
本発明は、クライアント装置側においてカテゴリー区分できない特徴に基づくコンテンツの選択を行うサーバ装置、クライアント装置及びコンテンツ視聴システムを提供することを目的とする。
【課題を解決するための手段】
【０００６】
上記の目的を達成するために、この発明においては、ネットワーク上のサーバ装置に対し特徴点検出指示を行う手段と、サーバ装置からの特徴点検出通知を受信する手段と、前記通知受信時にユーザーへこの受信を通知する手段と前記通知を行ったサーバ装置に対し前記特徴点からのコンテンツ再生指示を行いこの再生信号に前の再生信号から切り替えて再生表示を行う手段とを具備することを特徴とするクライアント装置を提供する。
【発明の効果】
【０００７】
ユーザーがクライアント装置側においてコンテンツを視聴する際に、カテゴリー区分できない特徴に基づくコンテンツの選択を行うことができるサーバ装置、クライアント装置及びコンテンツ視聴システムが得られる。
【発明を実施するための最良の形態】
【０００８】
以下、図面を参照しながら本発明の実施形態について説明する。
【実施例１】
【０００９】
本発明の実施例１を図１乃至図３を参照して説明する。図１は本実施例のコンテンツ視聴システムのシステム構成例を示すものである。
図１は本発明の実施の形態であり、色々な記録コンテンツを保有するコンテンツサーバ装置１と、別のコンテンツサーバ装置２と、デジタルテレビジョン放送受信装置であるクライアント装置３とがＬＡＮなどのインタフェースを用いてネットワーク接続されている。
【００１０】
図２は、この発明を適用したデジタルテレビジョン放送受信装置１１１の外観と、このデジタルテレビジョン放送受信装置１１１を中心として構成されるネットワークシステムの一例を概略的に示している。
【００１１】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル、液晶表示パネル等でなる平面パネル型の映像表示器１１４、スピーカ１１５、操作部１１６、リモートコントローラ１１７から送信される操作情報を受ける受光部１１８等が設置されている。
【００１２】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１３】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１４】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１５】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１６】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１７】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、ＰＣ（Personal Computer）１２８、ＨＤＤ内蔵のＤＶＤレコーダ１２９等の機器を接続し、これらの機器と情報伝送を行なうために使用される。
【００１８】
なお、ＰＣ１２８については、家庭内ネットワークにおいてコンテンツのサーバ装置として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１９】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２０】
さらに、この第２のＬＡＮ端子１２２は、ハブ１２６に接続されたブロードバンドルータ１３１を介して、例えばインターネット等のネットワーク１３２に接続し、このネットワーク１３２を介してＰＣ１３３や携帯電話１３４等と情報伝送を行なうために使用される。
【００２１】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２２】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２３】
ＰＣ１２８が図１のコンテンツサーバ装置１に、またＰＣ１３３がコンテンツサーバ装置２に対応している。
図３は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２４】
チューナ２４５ａは、制御部２６１からの制御信号により所望のチャンネルの放送信号を選局し、この選局された放送信号をＰＳＫ（Phase Shift Keying）復調器２４５ｂに出力する。
【００２５】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２６】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データ（サービス情報），電子番組ガイド（ＥＰＧ）情報，番組属性情報（番組ジャンル等），字幕情報等を制御部２６１へ出力する。
【００２７】
また、地上波放送受信用のアンテナ２４８で受信した地上デジタルテレビジョン放送信号は、入力端子２４９を介して地上デジタル放送用のチューナ２５０ａに供給される。
【００２８】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００２９】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３０】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データや電子番組ガイド（ＥＰＧ）情報，番組属性情報（番組ジャンル等）等を制御部２６１へ出力する。
【００３１】
また、上記地上波放送受信用のアンテナ２４８で受信した地上アナログテレビジョン放送信号は、入力端子２４９を介して地上アナログ放送用のチューナ２５２ａに供給されることにより、所望のチャンネルの放送信号が選局される。そして、このチューナ２５２ａで選局された放送信号は、アナログ復調器２５２ｂに供給されてアナログの映像信号及び音声信号に復調された後、上記信号処理部２４７に出力される。
【００３２】
ここで、上記信号処理部２４７は、ＰＳＫ復調器２４５ｂ及びＯＦＤＭ復調器２５０ｂからそれぞれ供給されたデジタルの映像信号及び音声信号に対して、選択的に所定のデジタル信号処理を施し、グラフィック処理部２５４及び音声処理部２５５に出力している。
【００３３】
また、上記信号処理部２４７には、複数（図示の場合は４つ）の入力端子２５６ａ，２５６ｂ，２５６ｃ，２５６ｄが接続されている。これら入力端子２５６ａ〜２５６ｄは、それぞれ、アナログの映像信号及び音声信号を、デジタルテレビジョン放送受信装置１１１の外部から入力可能とするものである。
【００３４】
信号処理部２４７は、上記アナログ復調器２５３及び各入力端子２５６ａ〜２５６ｄからそれぞれ供給されたアナログの映像信号及び音声信号を選択的にデジタル化し、このデジタル化された映像信号及び音声信号に対して所定のデジタル信号処理を施した後、グラフィック処理部２５４及び音声処理部２５５に出力する。
【００３５】
グラフィック処理部２５４は、信号処理部２４７から供給されるデジタルの映像信号に、ＯＳＤ（On Screen Display）信号生成部２５７で生成されるＯＳＤ信号を重畳して出力する機能を有する。このグラフィック処理部２５４は、信号処理部２４７の出力映像信号と、ＯＳＤ信号生成部２５７の出力ＯＳＤ信号とを選択的に出力すること、また、両出力をそれぞれ画面の半分を構成するように組み合わせて出力することができる。
【００３６】
また、字幕放送による字幕を表示するとき、グラフィック処理部２５４は、制御部２６１からの制御信号および字幕情報に基づき、映像信号上に字幕情報を重畳する処理を行う。
【００３７】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３８】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３９】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４０】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４１】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送を行なうことができる。
【００４２】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行なうことができる。
【００４３】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送を行なうことができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４４】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送を行なうことができる。
【００４５】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送を行なうことができる。
【００４６】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送を行なうことができる。
【００４７】
ところで、この実施形態では、ＨＤＤ１２５に初期登録時のＨＤＤ１２５、ＨＤＤ１２７、ＰＣ１２８、ＤＶＤレコーダ１２９それぞれに割り当てられたストレージＩＤ（ＩＰアドレス、機器名を含む）を記述した登録ファイルを記憶保持している。
【００４８】
また、不揮発性メモリ２６１ｃに、ＨＤＤ１２５、ＨＤＤ１２７、ＰＣ１２８、ＤＶＤレコーダ１２９それぞれのストレージＩＤを記憶している。
また、制御部２６１は、この発明に係わる機能として、ＵＰｎＰを利用した（１）サーバ装置発見機能２６１ｄと、（２）ＵＰｎＰを利用したコンテンツ情報取得機能２６１ｅと、（３）コンテンツアクセス制御機能２６１ｆとを備えている。
【００４９】
（１）制御部２６１は、サーバ装置発見機能２６１ｄにより、ＵＰｎＰのディスカバリ機能を用いてネットワーク上のＵＰｎＰ対応機器を発見する。例えばサーバ装置発見機能２６１ｄは、ＵＰｎＰのディスカバリ機能を用いてＰＣ１２８を発見する。
【００５０】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、ＰＣ１２８をコントロールし、ＰＣ１２８内のＨＤＤ等に蓄積されているコンテンツをアクセスするために必要なＵＲＩ情報をＰＣ１２８から取得する。
【００５１】
（３）制御部２６１は、コンテンツアクセス制御機能２６１ｆにより、サーバ装置発見機能２６１ｄにより取得したサーバ装置のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５２】
デジタルテレビジョン放送受信装置１１１は、内部に時計２８０を有しており、時刻管理を行うことができる。
このデジタルテレビジョン放送受信装置１１１は、通常、番組のＭＰＥＧトランスポートストリームをＡＶ−ＨＤＤ１４１へ記録する。
図３に関し、コンテンツサーバ装置からの特徴点検出通知を受けた場合に画面上部に「サッカーの試合でハイライトシーンを検出しました」などのように画面表示を行うのは、次の情報の経路による。
【００５３】
第２のＬＡＮ端子１２２→通信Ｉ／Ｆ２７０→制御部２６１→ＯＳＤ信号生成部２５７→グラフィック処理部２５４→映像処理部２５８→映像表示器１１４。
またそのとき、ユーザーの希望があれば画面切り替えを行えるようなインタフェースは例えばリモートコントローラ１１７、受光部１１８を手段として構成される。
以下、図１をもとに、本発明の実施の形態の説明を行う。
クライアント装置３の前にいるユーザーは、ライブで放送されている野球中継をデジタルテレビジョン放送受信装置で見ながら、コンテンツサーバ装置１に録画済のサッカーの試合と、コンテンツサーバ装置２に録画済のゴルフ中継を同時に効率良く視聴したいという希望があったとする。
【００５４】
このとき、ユーザーはクライアント装置３のユーザーインタフェースを用いて、ネットワークで再生可能なコンテンツ一覧の中から、同時視聴対象として、コンテンツサーバ装置１に録画済のサッカーの試合と、コンテンツサーバ装置２に録画済のゴルフ中継を指定する。
【００５５】
ユーザーの指定に基づいて、クライアント装置３は、コンテンツサーバ装置１とコンテンツサーバ装置２のそれぞれに対し、コンテンツ再生指示と特徴点検出指示を行う。
【００５６】
コンテンツサーバ装置１は、指定されたサッカーの試合を再生しながら、同時に特徴点の検出処理を行う。本実施例では、音声の大きさが一定レベルを超えた点を仮の特徴点として検出することにする。例えば、ゴールシーンなどで歓声が一定のレベルを超えると仮の特徴点として検出することになる。ところで、本実施例では、音声レベルで仮の特徴点を検出しているが、実際に歓声が大きくなったりする仮の特徴点は、サッカーのゴールの瞬間の後であったり、ゴルフのカップインの瞬間の後であるため、仮の特徴点から再生を開始すると、ハイライトシーンとなる瞬間を見逃してしまうという問題がある。
【００５７】
これを解消するために、各コンテンツサーバ装置は、仮の特徴点を検出した場合、その再生地点よりも一定時間前の地点をクライアント装置３に通知する。例えば、実際には３５分４０秒で検出した場合でも、１分前である３４分４０秒をクライアント装置３に通知する。この１分前という値は、ユーザーが自由に値を設定できる。この場合、３５分３０秒地点でゴールシーンがあった場合でも、ゴールする前の地点からユーザーは視聴できるため、ゴールシーンなどのハイライトシーンを見逃さなくてすむようになる。上記一定時間前の地点がユーザーには真の特徴点であり、以後これを特徴点と呼ぶ。
【００５８】
特徴点を検出した場合、コンテンツサーバ装置１は、特徴点の位置（例えば、３４分４０秒の再生地点）を特徴点検出指示を行ったクライアント装置３に対して通知する。
【００５９】
コンテンツサーバ装置２も同様にして、指定されたゴルフ中継を再生しながら、同時に特徴点の検出処理を行う。例えば、ボールがカップに入り歓声が一定のレベルを超えると特徴点として検出することになる。特徴点を検出した場合、コンテンツサーバ装置２は、特徴点の位置（例えば、１４分３０秒の再生地点）を特徴点検出指示を行ったクライアント装置３に対して通知する。
【００６０】
クライアント装置３であるデジタルテレビジョン放送受信装置は、コンテンツサーバ装置からの特徴点検出通知を受けた場合、ユーザーに対してわかるよう、画面上部に「サッカーの試合でハイライトシーンを検出しました」などのように画面表示を行い、ユーザーの希望があれば画面切り替えを行えるようなインタフェースを設ける。例えば、「サッカーの試合でハイライトシーンを検出しました。画面を切り替えますか？（はい／いいえ）」などの表示を行い、その後の動作をユーザーがリモコンで選択できるようにする。
【００６１】
ユーザーが画面切り替えを希望した場合、クライアント装置３は、通知を行ったコンテンツサーバ装置に対し、通知された特徴点からの再生指示を行い、さらに画面をそのコンテンツサーバ装置の再生信号に表示切替を行う。こうすることで、ユーザーは今まで見ていた番組から、ハイライトシーンが検出された他番組に切り替えて視聴を行うことができる。
【００６２】
なお、特徴点を検出するための音声レベルもユーザー設定可能にしてもよい。例えば、５段階設定とし、音声変化に対する感度設定をユーザーが行うことで、通知されすぎを防いだり、反対に通知不足を防いだりすることが可能になる。なお、音声というのは、人間の音声のみならず鐘太鼓他を含めたユーザーが視聴時に聴く対象音の総称である。
【００６３】
以上の処理により、ユーザーは、ライブで放送されている野球中継をデジタルテレビジョン放送受信装置で見ながら、コンテンツサーバ装置１に録画済のサッカーの試合と、コンテンツサーバ装置２に録画済のゴルフ中継を同時に効率良く視聴することが可能である。
【実施例２】
【００６４】
本発明の実施例２を図１乃至図４を参照して説明する。尚実施例２では図１乃至図３の構成は実施例１と同一であるため、同一部分の説明は省略する。
実施例１では、記録済コンテンツを同時再生の対象としたが、テレビ放送などのライブコンテンツが対象となる場合を対象に述べる。
クライアント装置３の前にいるユーザーは、ライブで放送されている野球中継をデジタルテレビジョン放送受信装置で見ながら、裏番組でライブ放送されている格闘技中継も同時に効率良く視聴したいという希望があったとする。
【００６５】
このとき、ユーザーはクライアント装置３のユーザーインタフェースを用いて、裏番組一覧の中から、同時視聴対象として、格闘技中継を指定する。
ここで、クライアント装置３が持つチューナーは、ユーザーが現在視聴している野球中継を選局して使用中のため、特徴点検出をさせるためには、ネットワークの他機器が持つチューナーを利用して特徴点検出させる必要がある。
【００６６】
ユーザーの指定に基づいて、クライアント装置３は、指定された番組が受信可能なチューナーを持つ機器をネットワーク内から検索する。例えば、ユーザー指定の格闘技中継はＢＳデジタル放送で放送されており、コンテンツサーバ装置１は地上波アナログチューナーのみ、コンテンツサーバ装置２は地上波アナログチューナーと、ＢＳデジタルチューナーを持っているとすれば、クライアント装置３は、ユーザー指定の番組を受信可能なコンテンツサーバ装置２に対し、コンテンツ再生指示と特徴点検出指示を行う。
【００６７】
コンテンツサーバ装置２は、指定された格闘技中継を受信しながら、同時に特徴点の検出処理を行う。本実施例でも、音声の大きさが一定レベルを超えた点を特徴点として検出することにする。例えば、ノックアウトシーンなどで歓声が一定のレベルを超えると特徴点として検出することになる。特徴点を検出した場合、コンテンツサーバ装置２は、特徴点の位置を通知しなければならないが、ライブ放送の場合、クライアント装置３から過去の地点を指定されても戻ることは不可能なので、常に一定時間前から番組を録画しておき、記録済コンテンツの場合の処理と同様にして、特徴点の位置を、特徴点検出指示を行ったクライアント装置３に対して通知する。ライブ放送を全て記録するとなると、記録容量の問題から現実的でないため、例えば常に最新１時間を録画しておくようにする。検出指示を受けてからそのチャンネルを録画開始し、容量が１時間を越えると、古い部分を消去しながら記録を継続することで、常に１時間は前に戻れるようになり、記録容量も１時間で済むことになる。
【００６８】
クライアント装置３であるデジタルテレビジョン放送受信装置は、コンテンツサーバ装置からの特徴点検出通知を受けた場合、ユーザーに対してわかるよう、画面上部に「格闘技中継でハイライトシーンを検出しました」などのように画面表示を行い、ユーザーの希望があれば画面切り替えを行えるようなインタフェースを設ける。例えば、「格闘技中継でハイライトシーンを検出しました。画面を切り替えますか？（はい／いいえ）」などの表示を行い、その後の動作をユーザーがリモコンで選択できるようにする。
【００６９】
ユーザーが画面切り替えを希望した場合、クライアント装置３は、通知を行ったコンテンツサーバ装置に対し、通知された特徴点からの再生指示を行い、さらに画面をそのコンテンツサーバ装置の再生信号に表示切替を行う。こうすることで、ユーザーは今まで見ていた番組から、ハイライトシーンが検出された他番組に切り替えて視聴を行うことができる。
【００７０】
本実施例でも、各コンテンツサーバ装置は、特徴点を検出した場合、その再生地点よりも一定時間前の地点をクライアント装置３に通知することで、ユーザーは、ノックアウトシーンなどのハイライトシーンを見逃さなくてすむようになる。
【００７１】
以上の処理により、ユーザーは、ライブで放送されている野球中継をデジタルテレビジョン放送受信装置で見ながら、同じくライブで放送されている格闘技中継を同時に効率良く視聴することが可能である。
【００７２】
上記のＢＳデジタルチューナーを持っているサーバを検索することは、次の２例のような手順により行う（図４の各ステップ参照）。
a) ネットワークインタフェースとしてLANを使用した場合
LANでネットワーク接続された機器間で機器制御、状態取得を行うためにUPnP(Universal Plug and Play)で各種アクションが規定されている。この中で、サーバー機器は、CDS(Content Directory Service)と呼ばれるサービスで、自身が持つチューナーをUPnP規定のコンテナとして公開することが可能であり、またクライアント機器は、CDS:Browse()アクションを使用することで、公開内容（コンテナ）を検索することが可能である。CDSで公開される属性値として、<upnp:class>という属性があり、公開コンテナの中で、この値がobject.item.videoitem.videoBroadcastであるコンテナをチューナーと判定し、各チューナーコンテナの名前（BSDigital, CSDigital, TrrAnalogなど）を検索することで、各サーバーがどのようなチューナーを実装しているかを判定することが可能である。
【００７３】
S301- CDS:Browse(), S302-コンテナ属性値<upnp:class>, S303-名前1? object.item.videoitem.videoBroadcast, S304- TrrAnalog, S305- S303-名前2? object.item.videoitem.videoBroadcast, S306- BSDigital（求めるＢＳチューナーの発見）といった概略手順となる。
【００７４】
b) ネットワークインタフェースとしてIEEE1394を使用した場合
IEEE1394機器同士で機器制御、状態取得を行うためのコマンドセットとして、
AV/Cコマンドが規定されている。このコマンドセットの中には、送信先の機器がどのような装置構成をしているかを調べるSUBUNIT INFOコマンド、装置の詳細を調べるREAD DESCRIPTORコマンドがあり、これをネットワークの各サーバーに送信し、応答を解析することで、各サーバーがどのようなチューナーを実装しているかを判定することが可能である。
【００７５】
S351- SUBUNIT INFO1, S352-config1, S353- SUBUNIT INFO2, S354- config2（求めるＢＳチューナーの候補発見）, S355- READ DESCRIPTOR, S306- BSDigital（求めるＢＳチューナーの発見）といった概略手順となる。
【００７６】
以上説明した通り本発明のコンテンツ視聴システムによれば、ネットワーク上にある複数のコンテンツを同時再生し、複数のコンテンツのそれぞれが持つ特徴点であるハイライトシーンを次々に検出して、随時画面切り替えを行うことにより、ユーザーは効率的に複数のコンテンツを同時に視聴できるという効果を有する。
【００７７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【００７８】
例えば、実施例では特徴点の検出方式として音声を用いたが、以下のような方法で画像を用いたり、更には音声と画像の双方を組合わせ或いは状況により有効な方を主体とするよう等構成して用いてもよい。
【００７９】
例えば、時間的に隣接する再生画像の比較（相関性チェック）をリアルタイムで行い、大幅に相関の無い画像に入れ替わった点を、シーンチェンジと見なして、特徴点とする、画像の色調を検出し一定以上の変化があった点を特徴点とするなどが実施方法として構成可能である。コマーシャルからサッカー中継の切り替わりで画面が緑色っぽくなるといった場合に有効性が高いことが予想される。
【図面の簡単な説明】
【００８０】
【図１】コンテンツ視聴システムのシステム構成例。
【図２】本発明を適用したデジタルテレビジョン放送受信装置１１１の外観と、このデジタルテレビジョン放送受信装置１１１を中心として構成されるネットワークシステムを説明するための図。
【図３】デジタルテレビジョン放送受信装置１１１の主要な信号処理系を示す図。
【図４】コンテンツ視聴システムの機器検索手順例。
【符号の説明】
【００８１】
１、２…コンテンツサーバ装置、３…クライアント装置、１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…ＰＣ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2007096981.tif 000003
【図２】
2007096981.tif 000004
【図３】
2007096981.tif 000005
【図４】
2007096981.tif 000006